(57)【特許請求の範囲】
【請求項１】
ディスプレイバックライトのホワイトバランスについての方法であって、
ａ）  ディスプレイについてのディスプレイパラメータを得るステップ、
ｂ）  上記ディスプレイについてのセンサデータを収集するステップ、
ｃ）  収集された上記センサデータと上記ディスプレイとの間の幾何学的較正を行うステップ、
ｄ）  上記ディスプレイバックライトについての色変換マトリクスを計算するステップ、
ｅ）  上記バックライトを、選択された白色値において表示するステップ、
ｆ）  上記選択された白色値における、上記バックライトの実際の色を測定して、これによって、測定されたバックライト色を決定するステップ、
ｇ）  上記測定されたバックライト色と、可視輝度のばらつきを最小化することとに基づいて、ターゲット輝度を決定するステップ、
ｈ）  ターゲット色を決定するステップ、
ｉ）  上記測定されたバックライト色と上記ターゲット色との間の色差を決定するステップ、
ｊ）  上記色差に基づいて、正規化された色差を決定するステップ、
ｋ）  色差駆動値を決定するステップ、および、
ｌ）  上記色差駆動値と、上記選択された白色値を表示するために用いられた元の駆動値とに基づいて、新たな駆動値を決定するステップを含む、方法。
【請求項２】
上記新たな駆動値を正規化するステップをさらに含む、請求項１に記載の方法。
【請求項３】
上記ディスプレイパラメータは、上記ディスプレイバックライト内のバックライト素子の、寸法、形状、配向、および数からなる群のうち少なくとも１つのパラメータを含む、請求項１に記載の方法。
【請求項４】
上記ディスプレイパラメータは、上記ディスプレイ内の画素素子の寸法、形状、配向、および数からなる群のうち少なくとも１つのパラメータを含む、請求項１に記載の方法。
【請求項５】
センサデータを収集する上記ステップは、上記ディスプレイの比色計の画像を収集することを含む、請求項１に記載の方法。
【請求項６】
センサデータを収集する上記ステップは、上記ディスプレイのコーナーバックライト素子と、端部に近接していないバックライト素子とが点灯している間に、上記ディスプレイの画像を収集することを含む、請求項１に記載の方法。
【請求項７】
収集された上記センサデータと上記ディスプレイとの間の幾何学的較正を行う上記ステップは、収集された上記センサデータを、ディスプレイ素子に関連付けることを含む、請求項１に記載の方法。
【請求項８】
色変換マトリクスを計算する上記ステップは、赤色、緑色、および青色のバックライト素子を個別に点灯させて、各色の色出力を測定することを含む、請求項１に記載の方法。
【請求項９】
上記バックライトを、選択された白色値において表示する上記ステップは、ターゲットの白色値に適合する、推定されたＲ、Ｇ、およびＢのバックライト値を用いることを含む、請求項１に記載の方法。
【請求項１０】
上記選択された白色値における上記バックライトの実際の色を測定する上記ステップは、ディスプレイ出力を比色計で収集することを含む、請求項１に記載の方法。
【請求項１１】
ターゲット輝度を決定する上記ステップは、輝度値をフィルタリングして、可視輝度のばらつきを最少化することを含む、請求項１に記載の方法。
【請求項１２】
ターゲット輝度を決定する上記ステップは、人間の視覚系の感度の増大に対応したカットオフ周波数を有するローパスフィルタによって、輝度値をフィルタリングすることを含む、請求項１に記載の方法。
【請求項１３】
ｒｇｂの色差駆動値（Δｒ、Δｇ、Δｂ）を決定する上記ステップは、上記正規化された色差（ΔＲ、ΔＧ、ΔＢ）、および、測定された上記ディスプレイについての点像分布関数（ｐｓｆ）に基づき、次の関係式、
【数１】
0005173027.tif 000007
を用いた逆畳み込み（＊）演算を含む、請求項１に記載の方法。
【請求項１４】
ディスプレイバックライトのホワイトバランスについての方法であって、
ａ）  ディスプレイについてのディスプレイパラメータを得るステップ、
ｂ）  上記ディスプレイについてのセンサデータを収集するステップ、
ｃ）  収集された上記センサデータと上記ディスプレイとの間の幾何学的較正を行うステップ、
ｄ）  上記ディスプレイバックライトについての、色変換マトリクスを計算するステップ、
ｅ）  上記バックライトを選択された色値において表示するステップ、
ｆ）  上記選択された色値における上記バックライトの実際の色を測定して、これによって、測定されたバックライト色を決定するステップであって、上記測定は、ディスプレイバックライトの解像度とディスプレイ画素の解像度との中間の解像度において行われるステップ、
ｇ）  上記測定されたバックライト色と、可視輝度のばらつきを最小化することとに基づいて、ターゲット輝度を決定するステップであって、上記ターゲット輝度は、上記中間の解像度において決定されるステップ、
ｈ）  ターゲット色を決定するステップ、
ｉ）  上記中間の解像度における、上記測定されたバックライト色と上記ターゲット色との間の色差を決定するステップ、
ｊ）  上記中間の解像度における上記色差に基づいて、正規化された色差を決定するステップ、
ｋ）  上記中間の解像度における、色差駆動値を決定するステップ、および、
ｌ）  上記色差駆動値と、上記選択された白色値を表示するために用いられた元の駆動値とに基づいて、新たな駆動値を決定するステップであって、該新たな駆動値は、上記中間の解像度において決定されるステップを含む、方法。
【請求項１５】
上記新たな駆動値を正規化するステップをさらに含む、請求項１４に記載の方法。
【請求項１６】
センサデータを収集する上記ステップは、上記ディスプレイのコーナーバックライト素子と、端部に近接していないバックライト素子とが点灯されている間に、上記ディスプレイの画像を収集することを含む、請求項１４に記載の方法。
【請求項１７】
色変換マトリクスを計算する上記ステップは、赤色、緑色、および青色のバックライト素子を個別に点灯させて、各色の色出力を測定することを含む、請求項１４に記載の方法。
【請求項１８】
ターゲット輝度を決定する上記ステップは、輝度値をフィルタリングして、可視輝度のばらつきを最少化することを含む、請求項１４に記載の方法。
【請求項１９】
ターゲット輝度を決定する上記ステップは、人間の視覚系の感度の増大に対応したカットオフ周波数を有するローパスフィルタによって、輝度値をフィルタリングすることを含む、請求項１４に記載の方法。
【請求項２０】
色差駆動値（Δｒ、Δｇ、Δｂ）を決定する上記ステップは、上記正規化された色差（ΔＲ、ΔＧ、ΔＢ）、および、測定された上記ディスプレイについての点像分布関数（ｐｓｆ）に基づき、次の関係式、
【数２】
0005173027.tif 000008
を用いた逆畳み込み（＊）演算を含む、請求項１４に記載の方法。
【発明の詳細な説明】
【技術分野】
【０００１】
本発明の実施形態は、ディスプレイバックライト素子のホワイトバランス方法およびホワイトバランスシステムを含む。
【背景技術】
【０００２】
ＬＣＤディスプレイといった幾つかのディスプレイには、バックライトアレイの個々の素子が個別に、アドレス指定され、かつ調節されるディスプレイがある。表示される画像特性は、バックライトアレイ素子を体系的にアドレス指定することによって、改善され得る。
【発明の概要】
【０００３】
本発明の幾つかの実施形態は、ＬＥＤディスプレイバックライトについてのホワイトバランス演算を実施する方法およびシステムを含む。幾つかの態様は、ディスプレイバックライトの輝度および色を、ＬＥＤバックライトの解像度とＬＣＤディスプレイの解像度との中間の解像度においてサンプリングする反復プロセスに関する。幾つかの態様は、ｒ、ｇ、およびｂの駆動値の差を、逆畳み込み技術を用いて決定するプロセスに関する。
【０００４】
幾つかの実施形態は、ディスプレイバックライトのホワイトバランスについての方法に関する。この方法は、次のステップを含む。
【０００５】
ａ）  ディスプレイパラメータを得るステップ、
ｂ）  上記ディスプレイのセンサデータを収集するステップ、
ｃ）  収集された上記センサデータと上記ディスプレイとの間の幾何学的較正を行うステップ、
ｄ）  上記ディスプレイバックライトについての色変換マトリクスを計算するステップ、
ｅ）  上記バックライトを、選択された白色値において表示するステップ、
ｆ）  上記選択された白色値における上記バックライトの実際の色を測定して、これによって、測定されたバックライト色を決定するステップ、
ｇ）  上記測定されたバックライト色と、可視輝度のばらつきを最小化することとに基づいて、ターゲット輝度を決定するステップ、
ｈ）  ターゲット色を決定するステップ、
ｉ）  上記測定されたバックライト色と上記ターゲット色との間の色差を決定するステップ、
ｊ）  上記色差に基づいて、正規化されたＲＧＢ色差を決定するステップ、
ｋ）  ｒｇｂ色差駆動値を決定するステップ、および、
ｌ）  上記ｒｇｂ色差駆動値と、上記選択された白色値を表示するために用いられた元の駆動値とに基づいて、新たなｒｇｂ駆動値を決定するステップ。
【０００６】
幾つかの実施形態は、他の、ディスプレイバックライトのホワイトバランスについての方法に関する。この方法は、次のステップを含む。
【０００７】
ａ）  ディスプレイパラメータを得るステップ、
ｂ）  上記ディスプレイのセンサデータを収集するステップ、
ｃ）  収集された上記センサデータと上記ディスプレイとの間の幾何学的較正を行うステップ、
ｄ）  上記ディスプレイバックライトについての、色変換マトリクスを計算するステップ、
ｅ）  上記バックライトを、選択された色値において表示するステップ、
ｆ）  上記選択された色値における上記バックライトの実際の色を測定して、これによって、測定されたバックライト色を決定するステップであって、上記測定は、ディスプレイＬＥＤバックライトの解像度とディスプレイＬＣＤ画素の解像度との中間の解像度において行われるステップ、
ｇ）  上記測定されたバックライト色と、可視輝度のばらつきを最小化することとに基づいて、ターゲット輝度を決定するステップであって、上記ターゲット輝度は、上記中間の解像度において決定されるステップ、
ｈ）  ターゲット色を決定するステップ、
ｉ）  上記中間の解像度における、上記測定されたバックライト色と上記ターゲット色との間の色差を決定するステップ、
ｊ）  上記中間の解像度における、上記色差に基づいて正規化されたＲＧＢ色差を決定するステップ、
ｋ）  上記中間の解像度における、ｒｇｂ色差駆動値を決定するステップ、および
ｌ）  上記ｒｇｂ色差駆動値と、上記選択された白色値を表示するために用いられた元の駆動値とに基づいて、新たなｒｇｂ駆動値を決定するステップであって、該新たなｒｇｂ駆動値は、上記中間の解像度において、決定されるステップ。
【０００８】
さらに、幾つかの実施形態は、ディスプレイバックライトのホワイトバランスを修正するためのシステムに関する。このシステムは、ディスプレイのバックライトの光出力を検知するために用いられるセンサを含む。この検知に基づいて、バックライトのホワイトバランスを調整するために適した変更を決定し、この変更に基づいて、バックライトのホワイトバランスを調整するために、このシステムの内部にあるコンピュータが用いられる。
【０００９】
本発明の、上述および他の、目的、特徴、および利点は、以下の発明の詳細な説明を、添付の図面を参照しながら検討することによって、より容易に理解されよう。
【図面の簡単な説明】
【００１０】
【図１】１つのＬＥＤバックライトアレイを備える典型的なＬＣＤディスプレイを示す図である。
【図２】本発明の一実施形態であるホワイトバランスプロセスにおける典型的なステップを示すフローチャートである。
【図３】ディスプレイの形状的構成の典型的なテストパターンを示す図である。
【図４】ターゲット輝度値を得るための典型的なフィルタリング法を示す図である。
【図５】人間の視覚系の典型的なコントラスト感度関数を示す図である。
【図６】典型的なディスプレイの形状およびサンプリング寸法を示す図である。
【図７】バックライト駆動値の差を決定するための典型的な反復プロセスを示すフローチャートである。
【図８】ディスプレイの特性を変更するための典型的な演算装置を示す図である。
【発明を実施するための形態】
【００１１】
本発明の実施形態は、図面を参照することによって、最も良好に理解されよう。図面では、全体を通して、同様の部材は、同様の参照番号によって示されている。上に挙げた図面は、この詳細な説明の一部に、明確に組み込まれている。
【００１２】
本図面に一般的に記載および図示される、本発明のコンポーネントは、幅広い種類の様々な構成に、配置および設置可能であることは容易に理解されよう。従って、以下の、本発明の方法およびシステムの実施形態のより詳細な説明は、本発明の範囲を限定することを意図するものではなく、単に、提示する本発明の好ましい実施形態を示すものである。
【００１３】
本発明の実施形態の要素は、ハードウェア、ファームウェア、および／または、ソフトウェアにおいて実施可能である。ここに開示される典型的な実施形態は、それらの形態のうちの１つだけを示すものであるが、当業者は、これらの実施形態のうちのどの形態においても、本発明の範囲内にとどまったまま、これらの要素を実現可能であることは明らかであろう。
【００１４】
本発明の幾つかの実施形態は、ＬＥＤディスプレイバックライトについてのホワイトポイントバランスプロセスを実現するシステムおよび方法を含む。幾つかの実施形態では、ＬＥＤホワイトポイントバランスを、ＬＣＤパネル無しに実現することが可能である。幾つかの実施形態では、ホワイトポイントバランスを、取り付けられたＬＣＤパネルによって実現してもよい。ＬＣＤパネルを有する実施形態では、ＬＣＤは、ＬＣＤのグレートラッキング問題を回避するために、白色に設定されていてよい。
【００１５】
ホワイトポイントバランスを実現することに関連するシステムおよびプロセスの幾つかの態様は、図１に関連して説明され得る。図１は、典型的なＬＥＤホワイトバランスシステムを示す図である。この典型的なシステムでは、パーソナルコンピュータなどの演算装置１６が、ＬＣＤ制御回路２および関連付けられたＬＣＤパネル４、ＬＥＤ制御回路８および関連付けられたＬＥＤバックライト６、並びに、撮像式比色計（測色計）１０（カメラ／センサ）を制御することが可能である。この典型的なシステムでは、演算装置１６からの制御は、接続１２、１４、および１８を通って行われていてよい。これらの接続には、種々の有線接続および無線接続が含まれ得る。幾つかの実施形態では、撮像式比色計１０は、ユニバーサルシリアルバス（universal serial bus：ＵＳＢ）接続を介して、演算装置１６に接続されていてよい。幾つかの実施形態では、演算装置１６は、ＬＥＤ制御回路８に、ＵＳＢ接続、デジタルビジュアルインターフェース（digital visual interface：ＤＶＩ）接続などのビデオケーブル接続、ビデオグラフィックスアレイ（ＶＧＡ）ケーブル、または他の幾つかの接続１４によって接続されていてもよい。幾つかの実施形態では、演算装置１６は、ＬＣＤ制御回路２に、ＵＳＢ接続、デジタルビジュアルインターフェース（ＤＶＩ）接続などのビデオケーブル接続、ビデオグラフィックスアレイ（ＶＧＡ）接続、または他の幾つかの接続１２によって接続されていてもよい。幾つかの実施形態では、演算装置１６は、撮像式比色計１０、ＬＣＤ制御回路２、および／または、ＬＥＤ制御回路８に、無線接続によって接続されていてもよい。
【００１６】
典型的なホワイトバランスプロセスでは、演算装置１６から接続１４を介してＬＥＤ制御回路８に伝送された初期ＬＥＤ駆動値を用いて、ＬＥＤバックライト６を点灯する。その後、撮像式比色計１０が、ＬＥＤバックライト６からの光出力を測定し、ＬＥＤバックライト６の色度を決定する。ＬＣＤパネル４が設けられていてもよいし、設けられていなくてもよく、設けられている場合、ＬＣＤパネル４は、完全な白状態に設定されていてよい。撮像式比色計１０からの測定値に基づいて、ＬＥＤバックライト駆動値を調整して、ＬＥＤバックライト６の色度を補正する。このプロセスを、撮像式比色計１０が正しい色度を検出するまで、繰り返し行ってもよい。
【００１７】
本発明の幾つかの実施形態は、図２を参照しながら説明される。図２は、ＬＥＤディスプレイバックライトのための、典型的なホワイトバランスアルゴリズムを示すフローチャートである。最初に、ディスプレイについてのディスプレイパラメータを設定する（Ｓ２０）。これらのディスプレイパラメータは、ＬＥＤブロック（ＬＥＤバックライト素子）および／またはＬＣＤ画素の、寸法、形状、配向、および数といった、幾何学的ディスプレイパラメータを含んでいてよい。収集されたカメラ（センサ）データとディスプレイとの間の幾何学的較正（Ｓ２２）を行うことが可能である。幾つかの実施形態では、幾何学的較正（Ｓ２２）は、収集されたカメラ／比色計（センサ）画素を、ディスプレイＬＥＤの位置に関連付けることを含んでいてよい。
【００１８】
幾つかの実施形態では、色較正（Ｓ２４）を行うことが可能である。色較正（Ｓ２４）は、１つまたは複数の色変換マトリクス、例えば、ＲＧＢからＸＹＺまでのマトリクス、およびその逆のＸＹＺからＲＧＢまでのマトリクスの計算を含んでいてよい。
【００１９】
色較正（Ｓ２４）の後に、ＬＥＤバックライトのホワイトバランスを得るための反復プロセス２５を行うことが可能である。この反復プロセス２５は、白色値または選択された色値に設定されたＬＥＤバックライトを表示することと、出力されたバックライトの実際の色を測定することを含んでいてよい（Ｓ２６）。測定された輝度プロファイル（バックライト色）に基づいて、その後、可視輝度のばらつき（ムラ、明度の非均一性）を最少化するターゲット輝度を決定する（Ｓ２８）。これは、人間の視覚系の、低空間周波数および高空間周波数における感度が低いことに基づくものである。
【００２０】
幾つかの実施形態では、所望の色度（例えば、ｘ０およびｙ０）を用いてターゲット色ＸおよびＺを算出（Ｓ３０）してもよい。典型的な一プロセスは、下記の数式１で表される。幾つかの実施形態では、測定されたＸＹＺ（測定されたバックライト色）とターゲットＸＹＺ（ターゲット色）との間のＸＹＺ座標の差を、決定してもよい（Ｓ３２）。このステップのための典型的な一方法は、下記の数式２で表される。幾つかの実施形態では、その後、反復プロセス２５を、例えば対応する正規化されたＲＧＢ（正規化されたＲＧＢ色差）を下記の数式３によって得るまで（Ｓ３４）、継続してもよい。幾つかの実施形態では、その後、ＬＥＤ駆動値ｒ、ｇ、およびｂ（ｒｇｂ色差駆動値）を決定するための、下記の数式４のような、逆畳み込みを用いてもよい（Ｓ３６）。
【００２１】
幾つかの実施形態では、例えば下記の数式５を用いて、新たなＬＥＤ駆動値（ｒｇｂ駆動値）を決定することが可能である（Ｓ３８）。幾つかの実施形態では、ＬＥＤ駆動値が範囲外にならないように、ＬＥＤ駆動値を最大パルス幅変調（ＰＷＭ）に正規化してもよい（Ｓ４０）。
【００２２】
その後、上述の、図２においてＳ２６〜Ｓ４０と番号が付されたステップを有する反復プロセス２５を、ＬＥＤホワイトバランスアルゴリズムのためのターゲット色に達するまで繰り返し行ってもよい。これらのステップのさらなる詳細については、以下に記載する。
【００２３】
ＬＣＤパネル４を備える典型的な一実施形態では、ＬＣＤパネル４上にグリッドパターンを表示すると同時に、カメラ／比色計１０（センサ）が、該グリッドパターンを収集して、収集された画像内のグリッドの位置を検出することによって、幾何学的較正（Ｓ２２）を行うことが可能である。
【００２４】
本発明の幾つかの実施形態の幾つかの態様について、図３を参照しながら説明する。これらの、ＬＣＤパネル４が設けられていない実施形態では、４つの、コーナーＬＥＤブロック５０、５２、５４、および５６（コーナーバックライト素子）をオン状態にして、その後、これらのコーナーＬＥＤブロックを、カメラ／比色計１０（センサ）によって収集させる。幾つかの実施形態では、収集された画像をＬＥＤバックライトの位置に位置付けるために、透視変換を用いてもよい。幾つかの実施形態では、このＬＥＤバックライトの位置決めに加えて、中心のＬＥＤ５８、または他の、ディスプレイの端部に近接していないＬＥＤも、オン状態にしてよい。この、端部でないＬＥＤまたは中心のＬＥＤ５８は、ＬＥＤバックライト６の輝度分布を得るために使用されてもよい。
【００２５】
幾つかの実施形態では、色較正（Ｓ２４）を行ってもよい。色較正（Ｓ２４）は、１つまたは複数の色変換マトリクス、例えば、ＲＧＢからＸＹＺへのマトリクス、およびその逆のＸＹＺからＲＧＢへのマトリクスを計算することを含んでいてよい。幾つかの実施形態では、このプロセスを、次のステップを用いて行うことが可能である。
【００２６】
１．  Ｒ、Ｇ、およびＢのバックライトＬＥＤを１つずつオン状態にするステップ、
２．  オン状態にされた色を、比色計、例えばＣＡ２０００撮像式比色計で収集するステップ、
３．  測定された色（ＸＹＺ）を平均し、ＲＧＢ２ＸＹＺマトリクスを埋めるステップ、
４．  ＸＹＺ２ＲＧＢマトリクスを、ＲＧＢ２ＸＹＺマトリクスの逆行列として、計算するステップ。
【００２７】
本発明の他の一実施形態では、各ＬＥＤの、ＸＹＺ２ＲＧＢマトリクスおよびＲＧＢ２ＸＹＺマトリクスを、当該ＬＥＤに関連する、対応して測定された色値によって、導出してもよい。
【００２８】
本発明の実施形態は、次の反復プロセスを含んでいてもよい。
【００２９】
１．  白色または選択された色値を表示する（ディスプレイ出力が、ターゲットの白色値または選択された色値に近づくようにＲＧＢを設定または推定する）こと（Ｓ２６）（図２）。
【００３０】
２．  ディスプレイの色（例えば、ＣＩＥ三刺激値：Ｘ、Ｙ、Ｚ、および、ＣＩＥ色度ｘ、ｙ）を測定すること。測定されたデータは、ＬＥＤの解像度よりも高い空間解像度を有していてよいことに留意されたい。
【００３１】
３．  測定された輝度プロファイルに基づいて、可視輝度のばらつき（ムラ）を最少化するターゲット輝度を決定すること（Ｓ２８）。これは、
ａ．  図５に示されるように、人間の視覚系の、低空間周波数および高空間周波数における感度が低いことと、
ｂ．  人間の視覚系によって視認不可能な輝度のばらつきは補正する必要がないこと（例えば、フィルタリングのための、人間の視覚系の感度の増大に対応したカットオフ周波数を、決定可能であること）とに基づいている。
【００３２】
幾つかの実施形態では、ターゲット輝度を、図４に示されるような、（例えば、人間の視覚系のフィルタを用いて）ほぼローパスフィルタされたバックライト輝度に設定することが可能である。
【００３３】
幾つかの実施形態では、所望の色度ｘ０およびｙ０を用いて、ターゲット色ＸおよびＺを、次の数式を用いて、算出することが可能である（Ｓ３０）。
【００３４】
【数１】
0005173027.tif 000002
【００３５】
幾つかの実施形態では、測定されたＸＹＺとターゲットＸＹＺとの間のＸＹＺ座標の差を、次の数式によって決定することが可能である（Ｓ３２）。
【００３６】
【数２】
0005173027.tif 000003
【００３７】
幾つかの実施形態では、対応する正規化されたＲＧＢを、次の数式によって得ることが可能である（Ｓ３４）。
【００３８】
【数３】
0005173027.tif 000004
【００３９】
幾つかの実施形態では、逆畳み込みを用いて、ＬＥＤ駆動値ｒ、ｇ、およびｂを、次の数式によって決定することが可能である（Ｓ３６）。
【００４０】
【数４】
0005173027.tif 000005
【００４１】
ここで、＊は、畳み込み演算を示している。
【００４２】
本発明の幾つかの実施形態の態様は、図６に関連して説明され得る。図６は、典型的なディスプレイ６０と、様々なサンプリング素子との相対的な形状を示す図である。典型的なディスプレイ６０は、バックライトＬＥＤ素子を有するバックライトアレイを含んでいてよい。バックライトＬＥＤ素子の寸法は、バックライトグリッド線６２と、単一のＬＥＤといった１つのバックライト素子によって照射されるバックライト素子セル６３とによって規定される。ディスプレイ６０はまた、典型的にはバックライト素子セル６３よりもかなり小さいＬＣＤ画素６６を有するＬＣＤパネルを含んでいてよい。本発明の実施形態の幾つかの典型的な方法を行うために、ＬＣＤ画素６６の解像度とバックライト素子セル６３の解像度との間の解像度において、中間グリッドを形成してもよい。この中間サンプリンググリッドは、グリッド線６４によって規定され得る。幾つかの実施形態では、中間の解像度におけるサンプリングを、ＬＣＤ画素値をダウンサンプリングすることによって行ってもよい。幾つかの実施形態では、中間解像度素子は、バックライト素子セル６３の中心点を通るＬＥＤグリッド線６８によって規定されるＬＥＤグリッドに対する、中間解像度素子の近接性に基づいて、オングリッドまたはオフグリッドとして見なされ得る。中間素子が、ＬＥＤグリッド線６８上にあるか、ＬＥＤグリッド線６８に隣接しているか、または、ＬＥＤグリッド線６８から所定の距離の範囲内にあるならば、この素子は、オングリッドであると見なされる。この素子が、上記のオングリッドの基準を満たさない場合、この素子は、オフグリッドと見なされる。幾つかの実施形態は、中間の解像度を用いて、ステップＳ２６〜Ｓ４０を実施することに関する。
【００４３】
図７は、逆畳み込みプロセスについてさらに説明する図である。逆畳み込みが、ＬＥＤ解像度よりも高い中間の解像度において行われたので、各バックライト位置（ｘ，ｙ）を、ＬＥＤ（オングリッド）位置（ｌｅｄＧｒｉｄ＝１）または非−ＬＥＤ（オフグリッド）位置（ｌｅｄＧｒｉｄ＝０）として指定する（Ｓ８０）。アルゴリズムが、ＬＥＤ駆動値（Δｒｇｂ）を繰り返し変更して（Ｓ８２）、差｛ΔRGB(x,y)−psf(x,y)*Δrgbi(x,y)｝を最少化することが可能である。ここで、＊は、畳み込み演算を示すものである。差分閾値を満たす（Ｓ８４）か、または最大繰り返し数に達すると、このプロセスを停止して、新たな駆動値の差を得る（Ｓ８６）。
【００４４】
幾つかの実施形態では、数式４の結果と、選択された白色値を表示するために用いられた以前の（元の）駆動値とを用いて、新たなＬＥＤ駆動値を決定することが可能である（Ｓ３８）。これは、次の数式において、表される。
【００４５】
【数５】
0005173027.tif 000006
【００４６】
幾つかの実施形態では、ｌｅｄ駆動値が範囲外にならないように、ＬＥＤ駆動値を最大パルス幅変調（ＰＷＭ）に正規化する（Ｓ４０）。
【００４７】
図２においてＳ２６〜Ｓ４０と番号が付された上述のステップを、ＬＥＤホワイトバランスアルゴリズムのためのターゲット色に達するまで、繰り返し行ってもよい。
【００４８】
図８を参照する。演算装置１６は、幾つかの異なるコンポーネントを含んでいてよい。演算装置１６は、カメラ／比色計１０およびＬＣＤパネル４からデータ（光出力）を受信するためのデータ受信ブロック１００を含んでいてよい。例えば、データ受信ブロック１００は、ＬＣＤパネル４の現在の状態１０２（ディスプレイパラメータ）に関するデータを受信することが可能である。このデータは、ＬＥＤの輝度、および／または、形状的情報といった、好適な任意の形式であってよい。データ受信ブロック１００はまた、カメラ／比色計１０から測定データ１０４を受信する。このようにして、データ受信ブロック１００は、後にディスプレイを適切に調整するための入力を、測定データ１０４として受信することが可能である。
【００４９】
データ受信ブロック１００は、測定データ１０４および／またはディスプレイパラメータ１０２を、較正および決定ブロック１１０に供給することが可能である。較正および決定ブロック１１０は、ディスプレイを適切に較正するための補正を決定するために、所望の計算を実施することが可能である。較正および決定ブロック１１０によって行われ得る機能の幾つかには、例えば、変換マトリクス１１２、正規化ブロック１１４、色差１１６、ＬＥＤ駆動値、ＬＥＤバックライト６の色度、ターゲット輝度、ターゲットＸＹＺ（ターゲット色）、ＲＧＢ色差駆動値、輝度分布、パルス幅変調（ＰＷＭ）などが含まれる。他の較正の要素である、ディスプレイパラメータを用いた他の計算、ムラ（明度の非均一性）色度の変化を低減するための変更、および、既に説明した要素なども、同様に含まれ得る。較正および決定ブロック１１０はまた、いつターゲット色に達するかを決定する。
【００５０】
幾つかの場合では、較正および決定ブロック１１０は、保存された一組の、初期ＬＥＤ駆動値および／または初期ディスプレイパラメータを含んでいてよい。これらの初期値および初期パラメータは、最終値に近いことが推定され、従って、所望のレベルに達する前の繰り返しの数を短縮することが可能である。
【００５１】
較正ブロック１１０から結果として得られたデータは、出力データおよびタイミング信号ブロック１２０に供給される。出力データおよびタイミング信号ブロック１２０は、データ信号およびタイミング信号を、ＬＣＤ制御回路２（設けられているならば）に供給すると共に、ＬＥＤ制御回路８に供給する。このようにして、ディスプレイに、制御情報が供給される。データを制御回路２、８に提供するプロセスは、ＬＣＤパネル４およびＬＥＤバックライト６を、それぞれ制御するものである。このようにして、較正ブロック１１０は、検出された、カメラ／比色計１０からの光出力を用いて、ディスプレイを較正するための変更を決定する。
【００５２】
演算装置１６は、ディスプレイの特性（例えば、ホワイトバランス）を修正するための繰り返しのプロセスにおいて、カメラ／比色計１０（およびＬＣＤパネル４）からデータを受信し、次に、ＬＣＤ制御回路２および／またはＬＥＤ制御回路８に変更（修正）を供給する。特に、決定ブロック１１０は、この変更を用いて、ディスプレイのホワイトバランスの調整を決定することが可能である。
【００５３】
上述の明細書において用いた用語および表現は、説明のためのものであり、限定するための用語として用いるものではなく、このような用語および表現において、図解される特徴と同等のもの、またはその一部を排除することを意図するものではない。
【００５４】
本発明について記載してきたが、同一の方法を、多数の方法に変更させてよいことは明らかであろう。このような変形は、本発明の原理および範囲から逸脱するものと見なされるものではなく、このような、同業者に自明の変形の全ては、以下の特許請求の範囲内に含まれることが、意図されるものである。
【図１】
0005173027.tif 000009
【図２】
0005173027.tif 000010
【図３】
0005173027.tif 000011
【図４】
0005173027.tif 000012
【図５】
0005173027.tif 000013
【図６】
0005173027.tif 000014
【図７】
0005173027.tif 000015
【図８】
0005173027.tif 000016